(57)【要約】【課題】操作部材を容易な構造で押し込み可能なスイッチの押し込み構造を提供することを課題とする。【解決手段】上方開口の凹部１０ａを有するスイッチケース１０と、その凹部１０ａの内底面１０ｂに載置するスイッチ部材２０と、その上方に且つ前記凹部１０ａ内に配設する操作部材３０と、前記開口を塞ぐカバー部材４０と、を備えるスイッチであって、前記操作部材３０は、略直方体状であり、その１つの側面と前記スイッチケース１０もしくは前記カバー部材４０のいずれか一方の内面とはヒンジ手段５０を介して接合してあるとともに、その下面のヒンジ手段５０側の端部には、前記内底面１０ｂと当接するリブ３２を備えている。【選択図】        図１
2005347114.tif 000002
【特許請求の範囲】
【請求項１】
上方開口の凹部を有するスイッチケースと、その凹部の内底面に載置するスイッチ部材と、その上方に且つ前記凹部内に配設する操作部材と、前記開口を塞ぐカバー部材と、を備えるスイッチであって、
前記操作部材は、
略直方体状であり、その１つの側面と前記スイッチケースもしくは前記カバー部材のいずれか一方の内面とはヒンジ手段を介して接合してあるとともに、その下面のヒンジ手段側の端部には、前記内底面と当接するリブを備えている、スイッチの押し込み構造。
【請求項２】
請求項１に記載のスイッチの押し込み構造であって、
前記操作部材の下面には、
前記スイッチ部材を下方に押し込み可能に押圧体を備えている、スイッチの押し込み構造。
【請求項３】
請求項２に記載のスイッチの押し込み構造であって、
前記操作部材の下面は、
前記押圧体側から前記リブ側へ向けて下り傾斜する傾斜面を形成している、スイッチの押し込み構造。
【発明の詳細な説明】
【技術分野】
【０００１】
本発明は、スイッチの押し込み構造に関し、詳しくは、操作部材を押下することによってスイッチを動作させるスイッチの押し込み構造に関する。
【背景技術】
【０００２】
この種のスイッチの押し込み構造は、例えば図３に示すスイッチに記載された押し込み構造が既に知られている。
図３に示すスイッチは、スイッチケース１１０と操作部材１３０とカバー部材１４０とに大別され、これらの部材によって構成されている。このスイッチケース１１０は上方開口の凹部１１０ａを有しており、その凹面１１０ｂにスイッチ部材１２０を載置している。このスイッチ部材１２０とは、例えばドーム状の可動端子１２２と、その内部に可動端子１２２に対し非接触となるように互いに電気的に独立した２つの固定端子１２４、１２４とによって構成された部材である。またスイッチケース１１０の凹部１１０ａの内壁には、上下方向にガイド溝１１２、１１２、１１２が形成してある。また操作部材１３０には、前記各ガイド溝１１２、１１２、１１２に対応するガイド１３２、１３２、１３２が形成してあり、前記操作部材１３０をスイッチ部材１２０の上方から前記ガイド溝１１２、１１２、１１２に沿ってスイッチケース１１０の凹部１１０ａへ嵌め込み、さらにその上方からカバー部材１４０を装着してスイッチは構成されている。なおこの状態では、各固定端子１２４、１２４は可動端子１２２と離れているためスイッチはオフ状態である。
【０００３】
続いて、このように構成されたスイッチの動作について説明する。カバー部材１４０を介して上方から操作荷重を加え操作部材１３０を下方へ押し込んでいくと、操作部材１３０はガイド溝１１２沿いに下方へ押し込まれていく。すると操作部材１３０の下面は可動端子１２２の上面を弾性変形させられながら下方へ押し込み、可動端子１２２と各固定端子１２４、１２４とが接触してこれら各固定端子１２４、１２４間は電気的に導通状態となりスイッチはオン状態となる。その後、操作部材１４０への操作荷重を解除すると、可動端子１２２の上面は弾性復元力によって元のドーム状に復元することによって可動端子１２２と各固定端子１２４、１２４とが離れスイッチはオフ状態に戻り、それに伴い操作部材１３０も上方に押し戻される構成となる。
【０００４】
なお、この出願の発明に関連する先行技術文献情報としては、例えば、特許文献１が知られている。
【特許文献１】特開２０００−２９４０７１号公報
【発明の開示】
【発明が解決しようとする課題】
【０００５】
しかしながら、図３に示すスイッチの押し込み構造では、例えば操作部材１３０上面の隅（スミ）に操作荷重を加えても、可動端子１２２を押し込んでスイッチをオン状態となるように、操作部材１３０の動きを滑らかにする必要があった。そのため操作部材１３０にはガイド１３２、１３２、１３２を形成し、スイッチケース１１０の内壁にはそれらガイド１３２、１３２、１３２に対応するガイド溝１１２、１１２、１１２を形成し、これら各ガイド１３２および各ガイド溝１１２によって摺動させて操作部材１３０の動きを滑らかにしていた。したがって、スイッチケース１１０および操作部材１３０の構造が複雑となっていた。
【０００６】
本発明は、このような課題を解決しようとするもので、その目的は、操作部材を容易な構造で押し込み可能なスイッチの押し込み構造を提供することを課題とする。
【課題を解決するための手段】
【０００７】
本発明は、上記の目的を達成するためのものであって、以下のように構成されている。
請求項１に記載の発明は、上方開口の凹部を有するスイッチケースと、その凹部の内底面に載置するスイッチ部材と、その上方に且つ前記凹部内に配設する操作部材と、前記開口を塞ぐカバー部材と、を備えるスイッチの押し込み構造であって、前記操作部材は、略直方体状であり、その１つの側面と前記スイッチケースもしくは前記カバー部材のいずれか一方の内面とはヒンジ手段を介して接合してあるとともに、その下面のヒンジ手段側の端部には、内底面と当接するリブを備えている構成である。この構成によれば、カバー部材の上方から操作荷重を加え操作部材を下方へ押し込んでいくと、操作部材はリブを回動支点に反時計回り方向（図２（Ａ）において、矢印方向）に回動していく。この回動に伴い操作部材の下面によってスイッチ部材は下方へ押し込まれスイッチはオン状態となる。また操作部材はヒンジ手段によってカバー部材と接合してあるため、スイッチケースの凹部内でガタが発生することなく位置決めされる。そのため、操作部材を容易な構造で押し込んでスイッチをオンさせることができる。
【０００８】
請求項２に記載の発明は、請求項１に記載のスイッチの押し込み構造であって、操作部材の下面には、スイッチ部材を下方に押し込み可能に押圧体を備えている構成である。この構成によれば、下方に向いた押圧体によってスイッチ部材は確実に押し込まれる。そのためスイッチの動作を確実なものにできる。
【０００９】
請求項３に記載の発明は、請求項２に記載のスイッチの押し込み構造であって、操作部材の下面は、押圧体側からリブ側へ向けて下り傾斜する傾斜面を形成している構成である。この構成によれば、カバー部材の上方から操作荷重を加え操作部材を下方へ押し込んでいっても操作部材の下面は傾斜しているためスイッチ部材に干渉することはない。そのため押圧体によってより確実にスイッチ部材を押し込むことができる。
【発明を実施するための最良の形態】
【００１０】
以下、本発明を実施するための最良の形態を、図１〜２を用いて説明する。
図１は、本発明に係るスイッチの全体斜視図であり、内部が見えるように一部を切り欠いてある。図２は、図１におけるＡ−Ａ線断面図を示しており、（Ａ）は本発明に係るスイッチのオフ状態を示し、（Ｂ）は本発明に係るスイッチのオン状態を示している。また本発明に記載してある「スイッチ部材２０」、「ヒンジ手段５０」とは、実施例に記載してある「例えばドーム状の可動端子２２と、可動端子２２に対し非接触となるようにその内部に互いに電気的に独立した２つの固定端子２４、２４とによって構成された部材」、「ヒンジ５０」にそれぞれ相当する。
【００１１】
本発明に係るスイッチについて図１を参照して説明する。
図１に示すスイッチは、スイッチケース１０と操作部材３０とカバー部材４０とに大別されており個別に構成を説明する。
まずスイッチケース１０について説明する。このスイッチケース１０は上方開口の凹部１０ａを有する箱形状であり、その内底面１０ｂにスイッチ部材２０を載置している。このスイッチ部材２０とは、例えばドーム状の可動端子２２と、可動端子２２に対し非接触となるようにその内部に互いに電気的に独立した２つの固定端子２４、２４とによって構成された部材である。またスイッチケース１０の側面には外方向へ湾曲した状態で張り出すように係止爪１２、１２が設けてあり、それぞれ後述するカバー部材４０の係止孔４６、４６に係合可能となっている。なおスイッチケース１０は剛性を有する樹脂によって成形されている。
【００１２】
操作部材３０について説明する。この操作部材３０は略直方体状に成形してあり、その下面の端部にはリブ３２を備えている。また、その下面にはリブ３２と対向する位置に下方に向けて押圧体３６を備えている。また、その下面は押圧体３６側からリブ３２側へ向けて下り傾斜となる傾斜面３４となっている。なお操作部材３０は剛性を有する樹脂によって成形されている。
【００１３】
カバー部材４０について説明する。このカバー部材４０は下方開口の凹部を有する箱形状の枠体４２と押し込み面４４とによって構成されている。また側面には係止孔４６、４６を形成し、上方からカバー部材４０をスイッチケース１０へ嵌め込んだ状態で係止爪１２、１２と係合可能となっている。なおカバー部材４０は剛性を有する樹脂によって成形された枠体４２と軟性を有する樹脂によって成形された押し込み面４４とによって一体成形されている。そして、このカバー部材４０をスイッチケース１０へ嵌め込むと、スイッチケース４０の開口縁はカバー部材の押し込み面４４の裏側と当接する。この押し込み面４４は軟性を有する樹脂成形であるため、スイッチケース１０内部へのシール性が高まる構成となる。
【００１４】
次に、スイッチケース１０に対して上述した各部材を組み付けてスイッチを組み立てていく方法について説明する。スイッチケース１０にはスイッチ部材２０を予め載置しておく。操作部材３０をカバー部材４０の押し込み面４４の内面にヒンジ５０を介して一体成形する。そしてスイッチケース１０の上方から操作部材３０とともにカバー部材４０を嵌め込んでスイッチを組み立てる。なお、この嵌め込み状態では、スイッチ部材１０に成形してある係止爪１２、１２とカバー部材４０に成形してある係止孔４６、４６とが係合して嵌め込み状態が保持される構成となる。また、この嵌め込み状態では、操作部材３０のリブ３２とスイッチケース１０の内底面１０ｂとが当接するように設定されている。そのため、操作部材３０へ上方から操作荷重を加え押し込んでいくと、リブ３２を回動支点に操作部材３０が反時計回り方向（図２（Ａ）において、矢印方向）に回動することで、押圧体３６が可動端子２２の上面を押し込んでいく構成となる。
【００１５】
続いて、このように組み立てられたスイッチの動作について説明する。図２（Ａ）は、カバー部材４０の押し込み面４４に操作荷重を加える前の状態である。この図からも明らかなように、可動端子２２と各固定端子２４、２４との間には隙を有しているため、スイッチはオフ状態である。そして図２（Ｂ）に示すように、押し込み面４４を介して上方から操作荷重を加え操作部材３０を下方へ押し込んでいくと、操作部材３０はリブ３２を回動支点に反時計回り方向（図２（Ａ）において、矢印方向）に回動していく。この回動に伴い押圧体３６の下面によって可動端子２２の上面は弾性変形させられながら下方へ押し込まれるため、可動端子２２と各固定端子２４、２４とが接触してこれら各固定端子２４、２４間は電気的に導通状態となりスイッチはオン状態となる。その後、操作荷重を解除すると、可動端子２２の上面は弾性復元力によって元のドーム状に復元することによって可動端子２２と各固定端子２４、２４とが離れスイッチはオフ状態（図２（Ａ）参照）に戻り、操作部材３０も上方に押し戻される構成となる。
【００１６】
操作部材３０の下面は、既に説明したように押圧体３６と押圧体３６側からリブ３２側へ向けて下り傾斜する傾斜面３４を備えている。そのため、リブ３２を回動支点にして操作部材３０を回動させても、その傾斜面３４は可動端子２２に干渉することなく押圧体３６のみが可動端子２２の上面を確実に押し込んでスイッチを動作させるものとしている。また操作部材３０はヒンジ５０によってカバー部材４０と接合してあるため、スイッチケース１０の凹部１０ａ内でガタが発生することなく位置決めされる。
【００１７】
またスイッチケース１０の各係止爪１２、１２は、それぞれ外方向へ湾曲した状態で張り出すように、また剛性を有する樹脂によって成形してあるために、上述したようにカバー部材４０の各係止孔４６、４６に嵌め込みんで係合すると節度感が得られるとともに、カバー部材４０の押し込み面４４が下方を向くような使用状態となってもスイッチケース１０に対して保持力が十分に確保される。そのため、例えば車両の後方に設けられるバックドアのスイッチ等に適用可能である。
【００１８】
上述した「軟性を有する樹脂」とは、「エラストマ」である。ここで「エラストマ」とは、室温でゴム弾性を有する高分子である。例えば、スチレン系エラストマ（ＳＢＣ），オレフィン系エラストマ（ＴＰＯ），塩ビ系エラストマ（ＴＰＶＣ），ウレタン系エラストマ（ＴＰＵ），ポリエステル系エラストマ（ＴＰＥＥ），ポリアミド系エラストマ（ＴＰＡＥ），フッ素系エラストマ，塩素化エチレンコポリマー架橋体アロイ（アルクリン），塩素化ポリエチレン（ＣＰＥ）がある。上述のエラストマは単独で使用してもよく、二種類以上使用されていてもよい。
【００１９】
また「剛性を有する樹脂」とは、エラストマよりも剛性の高い樹脂である。例えば、ポリアセタール（POM），ポリビニルアルコール，ポリ塩化ビニル，ポリ塩化ビニリデン，ポリエチレン，ポリスチレン，ポリアミド，ポリ酢酸ビニル，アクリロニトリル＝スチレン共重合体（ＡＳ），アクリロニトリル＝ブタジエン＝スチレン共重合体（ＡＢＳ）などの熱可塑性樹脂、フェノール樹脂，エポキシ樹脂，不飽和ポリエステル樹脂，ユリア樹脂，メラミン樹脂，ポリウレタン樹脂，シリコン樹脂などの熱硬化性樹脂がある。上述の樹脂は単独で使用してもよく、二種類以上使用されていてもよい。
【００２０】
上述した内容は、あくまでも本発明の一実施の形態に関するものであって、本発明が上記内容に限定されることを意味するものではない。
実施例では、操作部材３０をヒンジ５０介してカバー部材４０の内面と接合する例を説明したが、これに限定されるものでなく、操作部材３０をヒンジ５０介してスイッチケース１０の内面と接合しても構わない。その場合には、操作部材３０をスイッチケース１０の内面にヒンジ５０を介して一体成形する。
【図面の簡単な説明】
【００２１】
【図１】本発明に係るスイッチの全体斜視図である。
【図２】図１におけるＡ−Ａ線断面図を示しており、（Ａ）は本発明に係るスイッチのオフ状態を示し、（Ｂ）は本発明に係るスイッチのオン状態を示す図である。
【図３】従来におけるスイッチを示す分解斜視図である。
【符号の説明】
【００２２】
１０    スイッチケース
１０ａ  凹部
１０ｂ  内底面
２０    スイッチ部材
３０    操作部材
３２    リブ
３４    傾斜面
３６    押圧体
４０    カバー部材
５０    ヒンジ手段
【図１】
2005347114.tif 000003
【図２】
2005347114.tif 000004
【図３】
2005347114.tif 000005